【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
装置であって、
復号されたデータに基づいてビット誤り率を計算するために前記復号されたデータがデコーダから入手できるまで、複数の読取閾値電圧についてのシンドローム重みに基づいてメモリの１つ以上のページの読取閾値電圧を調整するように構成されたコントローラを備える、装置。
【請求項２】
前記コントローラは、
読取値を取得するために現在の読取閾値電圧において前記メモリを読取ることと、
硬判定デコーダを前記読取値に適用することと、
前記入手できる復号されたデータを提供するために前記硬判定デコーダが前記読取値を収束語に収束させるか否かを判断することと、
前記収束語に対応する１つ以上のビットを参照ビットとして記憶することと、
１つ以上のビット誤り率に基づいて前記読取閾値電圧を選択することと、
によって前記読取閾値電圧を調整する、請求項１に記載の装置。
【請求項３】
前記入手できる復号されたデータを提供するために前記硬判定デコーダが前記読取値を収束させる場合、前記コントローラは以下のステップを実行し、前記以下のステップは、
前記参照ビットに基づいて前記現在の読取閾値電圧についてのビット誤り率を計算するステップと、
現在の読取基準電圧を新たな読取閾値電圧に調整するステップと、
新たな読取値を取得するために前記新たな読取閾値電圧において前記メモリを読取るステップと、
試行されるいくつかの読取閾値電圧について閾値が満たされるまで、前記計算するステップ、調整するステップおよび読取るステップを繰返すステップと、
前記閾値が満たされると、各々の繰返されたステップについて計算された前記ビット誤り率に基づいて前記読取閾値電圧を選択するステップとを含む、請求項２に記載の装置。
【請求項４】
前記コントローラは、前記硬判定デコーダが前記現在の読取閾値電圧を収束させない場合、前記シンドローム重みから前記ビット誤り率を推定し、前記現在の読取基準電圧を前記新たな読取閾値電圧に調整する、請求項３に記載の装置。
【請求項５】
前記コントローラは、いくつかの読取られた語およびいくつかの符号化されたページのうちの１つ以上において検出されるいくつかの誤りに基づいてカウントプロファイルを決定する、請求項２に記載の装置。
【請求項６】
前記コントローラは、前記複数の読取閾値電圧についての前記入手できる復号されたデータに関連付けられた前記ビット誤り率に基づく第１のビット誤り率プロファイルおよび前記複数の読取閾値電圧についての前記シンドローム重みからのビット誤り率に基づく第２のビット誤り率プロファイルのうちの１つ以上に基づいて前記新たな読取閾値電圧を選択する、請求項３に記載の装置。
【請求項７】
前記新たな読取閾値電圧の選択は、いくつかの読取られた語およびいくつかの符号化されたページのうちの１つ以上において検出されるいくつかの誤りに基づくカウントプロファイルにさらに基づく、請求項６に記載の装置。
【請求項８】
前記コントローラは、前記複数の読取閾値電圧についての前記ビット誤り率に基づくビット誤りプロファイルの数列、前記複数の読取閾値電圧についてのシンドローム重みプロファイルの数列、所与の読取閾値電圧において読取られたいくつかの語、および所与の読取閾値電圧において処理されたいくつかの語のうちの１つ以上に基づいて、次の反復のための新たな読取閾値電圧を選択する、請求項１に記載の装置。
【請求項９】
前記コントローラは、
読取値を取得するために現在の読取閾値電圧において前記メモリを読取ることと、
前記シンドローム重みから前記ビット誤り率を推定することと、によって前記読取閾値電圧を調整し、前記シンドローム重みは、指定の回数の反復についてシンドローム重み計算機および硬判定デコーダのうちの１つ以上から取得され、前記コントローラはさらに、
前記複数の読取閾値電圧についての前記シンドローム重みからの前記ビット誤り率に基づく第２のビット誤り率プロファイルに基づいて新たな読取閾値電圧を選択すること、によって前記読取閾値電圧を調整する、請求項１に記載の装置。
【請求項１０】
有形のマシン読取可能な記録可能な記憶媒体であって、１つ以上のソフトウェアプログラムは、１つ以上の処理装置によって実行されたときに、
復号されたデータに基づいてビット誤り率を計算するために前記復号されたデータがデコーダから入手できるまで、複数の読取閾値電圧についてのシンドローム重みに基づいて、メモリの１つ以上のページの読取閾値電圧を調整するステップを実行する、記憶媒体。
【請求項１１】
前記読取閾値電圧は、
読取値を取得するために現在の読取閾値電圧において前記メモリを読取るステップと、
硬判定デコーダを前記読取値に適用するステップと、
前記入手できる復号されたデータを提供するために前記硬判定デコーダが前記読取値を収束語に収束させるか否かを判断するステップと、
前記収束語に対応する１つ以上のビットを参照ビットとして記憶して、前記入手できる復号されたデータを提供するために前記硬判定デコーダが前記読取値を収束させる場合に以下のステップを実行するステップと、
を実行することによって調整され、
前記以下のステップは、
前記参照ビットに基づいて前記現在の読取閾値電圧についてのビット誤り率を計算するステップと、
前記現在の読取基準電圧を新たな読取閾値電圧に調整するステップと、
新たな読取値を取得するために前記新たな読取閾値電圧において前記メモリを読取るステップと、
試行されるいくつかの読取閾値電圧について閾値が満たされるまで、前記計算するステップ、調整するステップおよび読取るステップを繰返すステップと、
前記閾値が満たされると、各々の繰返されたステップについて計算された前記ビット誤り率に基づいて前記読取閾値電圧を選択するステップとを含む、請求項１０に記載の記憶媒体。
【請求項１２】
前記複数の読取閾値電圧についての前記入手できる復号されたデータに関連付けられた前記ビット誤り率に基づく第１のビット誤り率プロファイルおよび前記複数の読取閾値電圧についての前記シンドローム重みからのビット誤り率に基づく第２のビット誤り率プロファイルのうちの１つ以上に基づいて前記新たな読取閾値電圧を選択するステップをさらに備える、請求項１１に記載の記憶媒体。
【請求項１３】
方法であって、
復号されたデータに基づいてビット誤り率を計算するために前記復号されたデータがデコーダから入手できるまで、複数の読取閾値電圧についてのシンドローム重みに基づいてビット誤り率を取得するステップと、
前記ビット誤り率に基づいて、メモリの読取閾値電圧を調整するステップとを備える、方法。
【請求項１４】
前記読取閾値電圧は、
読取値を取得するために現在の読取閾値電圧において前記メモリを読取るステップと、
硬判定デコーダを前記読取値に適用するステップと、
前記入手できる復号されたデータを提供するために前記硬判定デコーダが前記読取値を収束語に収束させるか否かを判断するステップと、
前記収束語に対応する１つ以上のビットを参照ビットとして記憶するステップと、
１つ以上のビット誤り率に基づいて前記読取閾値電圧を選択するステップと、
を実行することによって調整される、請求項１３に記載の方法。
【請求項１５】
前記入手できる復号されたデータを提供するために前記硬判定デコーダが前記読取値を収束させる場合、以下のステップをさらに備え、前記以下のステップは、
前記参照ビットに基づいて前記現在の読取閾値電圧についてのビット誤り率を計算するステップと、
前記現在の読取基準電圧を新たな読取閾値電圧に調整するステップと、
新たな読取値を取得するために前記新たな読取閾値電圧において前記メモリを読取るステップと、
試行されるいくつかの読取閾値電圧について閾値が満たされるまで、前記計算するステップ、調整するステップおよび読取るステップを繰返すステップと、
前記閾値が満たされると、各々の繰返されたステップについて計算された前記ビット誤り率に基づいて前記読取閾値電圧を選択するステップとを含む、請求項１４に記載の方法。
【請求項１６】
前記硬判定デコーダが前記現在の読取閾値電圧を収束させない場合、前記シンドローム重みから前記ビット誤り率を推定し、前記現在の読取基準電圧を前記新たな読取閾値電圧に調整するステップをさらに備える、請求項１５に記載の方法。
【請求項１７】
いくつかの読取られた語およびいくつかの符号化されたページのうちの１つ以上において検出されるいくつかの誤りに基づいてカウントプロファイルを決定するステップをさらに備える、請求項１５に記載の方法。
【請求項１８】
前記複数の読取閾値電圧についての前記入手できる復号されたデータに関連付けられた前記ビット誤り率に基づく第１のビット誤り率プロファイルおよび前記複数の読取閾値電圧についての前記シンドローム重みからのビット誤り率に基づく第２のビット誤り率プロファイルのうちの１つ以上に基づいて前記新たな読取閾値電圧を選択するステップをさらに備える、請求項１５に記載の方法。
【請求項１９】
前記新たな読取閾値電圧の選択は、いくつかの読取られた語およびいくつかの符号化されたページのうちの１つ以上において検出されるいくつかの誤りに基づくカウントプロファイルにさらに基づく、請求項１８に記載の方法。
【請求項２０】
前記複数の読取閾値電圧についての前記ビット誤り率に基づくビット誤りプロファイルの数列、前記複数の読取閾値電圧についてのシンドローム重みプロファイルの数列、所与の読取閾値電圧において読取られたいくつかの語、および所与の読取閾値電圧において処理されたいくつかの語のうちの１つ以上に基づいて、次の反復のための新たな読取閾値電圧を選択するステップをさらに備える、請求項１５に記載の方法。